(57)【要約】【課題】同じ図書規格で、本製表紙または仮製表紙を付けた中身の厚さが異なる図書に、図書カバーを調節せずに装着できるようにする。さらに、カバーの両面に、視覚的要素を有するものを表示するスペースを設ける。【解決手段】カバーの左右の中心部に、見開く方向（図では左右方向）へ伸縮するゴムテープ２ｅ付きの分離式ファスナー２またはゴムテープ１２を縦方向に取付け、さらに、カバーの上下左右の縁に、先端部分を窄めたＪ字形フック３またはＵ字形フック１３を設ける。また、カバー両面の一部を矩形または円形状に開口して、背面側に透明のポケット４を設ける構成とする。【選択図】図  １
2005289029.tif 000002
【特許請求の範囲】
【請求項１】
左右方向へ最大１８０度まで見開きが可能な電子図書のカバーにおいては左右二等分とした中心部に上下方向へゴムテープファスナーを取付ける構成とし、左右方向へ最大３６０度まで見開きが可能な従来の紙使用図書のカバーにおいては左右二等分とした中心部に上下方向へゴムテープを取付る構成としたことを特徴とする図書カバー。
【請求項２】
請求項１記載のゴムテープファスナーまたはゴムテープは図書を見開く左右方向に伸縮する構成としたことを特徴とする図書カバー。
【請求項３】
前記カバーの縁をＪ字状またはＵ字状のフック形式にして表紙に装着する構成としたことを特徴とする請求項１または２記載の図書カバー。
【請求項４】
請求項３記載のＪ字状またはＵ字状のフックの先端部分をすぼめて厚さの異なる表紙に対応できる構成としたことを特徴とする図書カバー。
【請求項５】
前記カバーの両側の一部に透明材を使用したポケットを設けて書誌的表示や視覚的要素を有するものを表示する構成としたことを特徴とする請求項１、２、３または４記載の図書カバー。
【発明の詳細な説明】
【技術分野】
【０００１】  本発明は、最大１８０度まで見開きが可能な電子図書と、最大３６０度まで見開きが可能な従来の紙使用図書の図書カバーに関する。
【背景技術】
【０００２】  図書を保護する図書カバーにおいてはブックカバーの名称で知られており、このブックカバーは、厚さの異なる図書に対応する手段として、ブックカバーの表布と裏布の間に元の状態に復元する金属箔を配し、その復元作用によって厚さの異なる図書に装着しても折り部の跡を残さず折り部の位置が自由に変更できるものもある（例えば、参考文献１参照）。【０００３】  さらに、上記厚さの異なる図書に対応するためにカバーの片側の裏面をポケット状にし、もう片側の裏面に幅広の帯を取付けた折り返し部分を設け、さらに、その折り返し部に数本の薄肉線の折り目を付けて、表紙の一方をポケットに差し込み、もう一方を帯から潜らせて装着し、折り返しの残り部分を帯に差し込んで装着したものもある（例えば、参考文献２参照）。【０００４】  また、従来の図書カバーにあっては、表紙と図書カバーとのばたつきを生じ難くする手段として、カバーの折り返し部分に感圧性接着剤を塗布または粘着シールを張って固定したものもある（例えば、参考文献３、４または５参照）【０００５】  また、従来の図書カバーにあっては、表紙の片側一部と背表紙の一部に透視性の部分を設けるか、その部分をくり貫いて本のタイトルが確認できるようにしたものもある（例えば、参考文献６参照）
【特許文献１】  特開２００３−３４１２５４号  公報
【特許文献２】  特開２００３−０７２２６１号  公報
【特許文献３】  特開２００３−１０３９６１号  公報
【特許文献４】  特開２００２−２６４５６２号  公報
【特許文献５】  特開  平０７−２２８０７３号  公報
【特許文献６】  特開  平０７−２２３３８８号  公報
【発明の開示】
【発明が解決しようとする課題】
【０００６】  以上に述べたように、従来の図書カバーでは厚さの異なる図書に装着するたびに折り目を調節するという問題点と、表紙と折り返しの薄肉線が必ずしも一致しないという問題点がある。【０００７】  また、従来の図書カバーは、図書の表紙とカバーとのばたつきが生じないように接着剤または粘着シールを使用して固定しているため、着脱を繰り返すと粘着度が低下するという問題点と、装着に手間が掛かるという問題点がある。【０００８】  また、従来の図書カバーは、装着した状態で図書のタイトルが確認できるようにカバーの背面と表面の一部を透視材にするか、くり貫くとしているが、タイトルの位置または表紙の表裏が左右のどちらになるかは図書の種類によって異なるので、表紙部分のタイトルが図書カバーの透視部分またはくり貫き部と一致しないという問題点が生じる。
【問題を解決するための手段】
【０００９】  本発明は、上記厚さの異なる図書に対応する図書カバーの課題を達成する手段として、電子図書にあっては、左右二等分としたカバーの中心部に上下方向へ開閉ができて、左右方向（見開く方向）へ伸縮するゴムテープファスナーを取付ける構成とする。また、従来の紙使用図書にあっては、同じく左右二等分としたカバーの中心部に左右方向（見開く方向）へ伸縮するゴムテープを取付ける構成とする。
【００１０】  前記ゴムテープファスナーは、エレメントを噛み合わせるスライダーを下げるとエレメントが閉まり、スライダーを上げるとエレメントが開く構成とする。
【００１１】  前記カバーの素材は、伸縮が生じないように加工した布地またはレザー地を使用し、見開く方向に伸縮するゴムテープファスナーまたはゴムテープは、従来の製法で織った織ゴムテープまたは平ゴムテープを使用する。
【００１２】  前記使用する織ゴムテープまたは平ゴムテープは、図書カバーを図書に装着して閉じたとき、表紙が自然に開かないように伸縮度のソフトなタイプを使用する。
【００１３】  また、本発明は表紙と図書カバーのばたつきの課題を達成する手段として、カバーの上部、側部、底部の縁に、機械的強度や電気絶縁性等に優れた熱可塑性樹脂を素材にしたＪ字状またはＵ字のフック部を設ける構成とする。
【００１４】  前記フック部は、厚さの異なる表紙に対応できるように、背面に折り曲げたＪ字状またはＵ字状の先端部を内側にすぼめ、さらに、表紙へ容易に装着できるようにすぼめた先端部を外方向へ丸みを付ける。
【００１５】  さらに本発明は、書誌的表示の課題を達成する手段として、カバーの両側に熱可塑性の透明材を使用した矩形または円形のポケット部を設ける構成とする。
【００１６】  以上の構成により、厚さの異なる図書に対して、図書カバーを調整することなく容易に装着できて、さらに、図書の表紙と図書カバーとのばたつきを無くして固定することが可能となる。
【発明の効果】
【００１７】  上述の形態で実施される本発明の図書カバーは、以下に記載する効果を奏する。
【００１８】  左右二等分とした図書カバーの中心部に左右方向（見開く方向）へ伸縮するゴムテープファスナーまたはゴムテープを取付けたことで、厚さの異なる図書に対してカバーの折り目を調整することなく装着できる効果がある。
【００１９】  また、カバーの縁にＪ字状またはＵ字状のフック部を設けて図書の表紙と図書カバーを固定したことで、ばたつきを無くす効果と、フックに機械的強度大の熱可塑性樹脂を使用したことで、破損しやすい表紙の縁や角部を保護する効果がある。
【００２０】  さらに、カバーの背面に折り曲げたフックの先端部分をすぼめたことで、厚さの異なる表紙に対応することができる効果がある。
【００２１】  また、図書カバーの両側の一部を開口して透明材を使用したポケットを設けたことで、書誌表示だけでなく好きな写真や漫画など視覚的要素を有するのを表示することができて、所有者の個性を発揮する効果がある。
【発明を実施するための最良の形態】
【００２２】  以下、本発明の実施の形態を添付図１から図８に基づいて説明する。【００２３】  図１は電子図書カバーの表となる正面図を示し、図２は裏となる背面図を示す。カバー１の素材は伸縮が生じないように加工した布地またはレザー地を使用し、そのカバーの左右の中心部に上下へ開閉するゴムテープファスナー２を取付ける。ファスナーは、スライダー２ｅを下げるとエレメント２ａが閉まり、上げるとエレメント２ａが開くようにエレメント箱２ｂを上方にして取付ける構成とする。この構成により、スライダー２ｅの引手に手首用のストラップを付けることができる。
ストラップは、離着が容易にできるように、引手と接合する部分にキーホールダータイプのナスカンを付けることが望ましい。【００２４】  前記ゴムテープファスナー２のエレメント２ａ、箱２ｂ、上止２ｃおよびスライダー２ｅは、電子図書の蝶番部と擦れて双方に傷を付けないように熱可塑性樹脂製のものを使用する。
従来製造の熱可塑性樹脂製ファスナーには、エレメントの蝶棒を横から箱に差し込むサイドオープン製品と、蝶棒を上から箱に差し込む開製品とがあるが、本発明の電子図書カバーの構造上、サイドオープン製品を使用することが望ましい。【００２５】  また、前記エレメント２ａを付着するテープは、左右方向（見開く方向）へ伸縮するゴムテープ２ｄを使用し、左右の両端をカバー１の両端に縫い付けるか、接着剤で圧着して接合する。ゴムテープは、横糸と芯ゴムを縦糸で織った織ゴムテープまたは横糸となる糸ゴムを伸ばして皮糸で組んで平らな状態にした平ゴムテープを使用する。【００２６】  前記電子図書の表紙を固定するフック部３は、電気絶縁性や機械的強度等に優れた熱可塑性樹脂をＪ字状に射出成型してカバー１の三方の縁に付着し、さらにカバーとゴムテープの接続部分の上下フック部が開かないように、上下フック部と一体化した平板状の補強部３ｂを裏面に設ける。【００２７】  また、前記カバー１の両側の一部を矩形または円形に開口し、その開口部に熱可塑性樹脂の透明材を使用したポケット４を設ける。ポケットの口４ａはカバー裏面の上部に設け、さらに、口の一部を半円形４ｂに切り取る。【００２８】  図３は図２背面図のＡ−Ａ部分の断面図を示し、図４は図３断面図のＢ−Ｂ部分の拡大図を示す。
前記Ｊ字状に射出成型したフック部３は、厚さの異なる表紙に対応できるように、折り曲げた先端部を内側にすぼめる。さらに、装着が容易にできるように、すぼめた先端部を外方向へ反るように丸み３ａを付ける。【００２９】  図５は従来の紙使用図書カバーの正面図を示し、図６は背面図を示す。
カバー１１の素材は上記電子図書用のカバー１と同様の生地を使用し、そのカバーの左右の中心部に、左右方向（見開く方向）へ伸縮する織ゴムテープまたは平ゴムテープ１２を取付ける。ゴムテープは左右の端をカバーの端に縫いつけるか、接着剤で圧着して接合する。また、ゴムテープの下部付近にはストラップのナスカンが接続できるように丸カン１２ａを設ける。また、カバーの両側に設けるポケット１４も上記電子図書カバーのポケットと同様の構成とする。
図書カバーには、図書が自然に開かないように開閉部に止め具またはベルト等を付けることも可能である。【００３０】  前記図書カバーと表紙を固定するＵ字状フック１３及び補強部１３ｂは、上記Ｊ字状のフック３及び補強部３ｂと同様の素材と構成でカバー１１の縁に付着する。【００３１】  図７は図６背面図のＡ−Ａ部分の断面図を示し、図８は図７断面図のＢ−Ｂ部分の拡大図を示す。
厚さの異なる表紙に対応できるように、背面に折り曲げたＵ字状フック１３の先端部を内側にすぼめ、そのすぼめた先端部を外方向に反るよに丸み１３ａを付ける。【００３２】  以上の形態で実施した電子図書カバーは、ゴムテープファスナー２を開いてカバーを二つに分離し、側面からＪ字状のフック部３を表紙にスライドして装着する。従来の紙使用図書カバーは、図書の表紙を３６０度近くまで開いて、側面からＵ字状のフック部１３を表紙にスライドして装着する。また、装着した図書カバー１と１１に手首用のストラップを付けることで、図書を手で携帯または手で保持して読書などをしている際に、外部からの衝撃や何らかの原因により保持している手から離れた場合、落下を防止することができる。
【図面の簡単な説明】
【００３３】
【図１】  電子図書カバーの表となる正面図
【図２】  電子図書カバーの裏となる背面図
【図３】  背面図のＡ−Ａ部分の断面図
【図４】  断面図のＢ−Ｂ部分の拡大図
【図５】  紙使用図書カバーの表となる正面図
【図６】  紙使用図書カバーの裏となる背面図
【図７】  背面図のＣ−Ｃ部分の断面図
【図８】  断面図のＤ−Ｄ部分の拡大図
【符号の説明】
【００３４】        １        カバー
２        ゴムテープファスナー
２ａ      エレメント
２ｂ      エレメント箱
２ｃ      上止
２ｄ      ゴムテープ（織ゴムテープまたは平ゴムテープ）
２ｅ      スライダー
３        Ｊ字状フック部
３ａ      丸みを付けた先端部
３ｂ      補強部
４        ポケット
４ａ      ポケットの口
４ｂ      半円形に切り取った部分
１１        カバー
１２        ゴムテープ（織ゴムテープまたは平ゴムテープ）
１２ａ      丸カン
１３        Ｕ字状フック部
１３ａ      丸みを付けた先端部
１３ｂ      補強部
１４        ポケット
１４ａ      ポケットの口
１４ｂ      半円形に切り取った部分
【図１】
2005289029.tif 000003
【図２】
2005289029.tif 000004
【図３】
2005289029.tif 000005
【図４】
2005289029.tif 000006
【図５】
2005289029.tif 000007
【図６】
2005289029.tif 000008
【図７】
2005289029.tif 000009
【図８】
2005289029.tif 000010
【手続補正書】
【提出日】平成16年12月1日(2004.12.1)
【手続補正１】
【補正対象書類名】特許請求の範囲
【補正対象項目名】全文
【補正方法】変更
【補正の内容】
【特許請求の範囲】
【請求項１】
同じ図書規格で、本製表紙または仮製表紙を付けた中身の厚さが異なる図書に装着するカバーにおいて、
前記カバーの左右の中心部に、見開く方向へ伸縮する分離式ファスナーまたはゴムテープを上下方向に取付けたことを特徴とする図書カバー。
【請求項２】
前記分離式ファスナーを取付けた前記カバーの上下左右の縁に、先端部分を窄めたＪ字形フックまたはＵ字形フックを設けたことを特徴とする請求項１記載の図書カバー。
【請求項３】
前記ゴムテープを取付けた前記カバーの上下の縁の一部と左右の縁に、前記先端部分を窄めたＪ字形フックまたはＵ字形フックを設けたことを特徴とする請求項１または２記載の図書カバー
【請求項４】
前記Ｊ字形フックまたはＵ字形フックを機械的強度と弾力性に優れた熱可塑性樹脂または合金で成型したことを特徴とする請求項２または３記載の図書カバー。
【請求項５】
前記カバーの両面の一部を矩形または円形状に開口して、背面側に透明材を素材にしたポケットを設けたことを特徴とする請求項１〜４の何れか１項に記載の図書カバー。
【手続補正２】
【補正対象書類名】明細書
【補正対象項目名】全文
【補正方法】変更
【補正の内容】
【発明の詳細な説明】
【技術分野】
【０００１】            同じ図書規格で、本製表紙（中身を化粧断ちしたのちに、厚手の表紙を付けて、散り部分を設けた様式）または仮製表紙（中身に薄手の表紙を付けて、中身とともに化粧断ちした様式）を付けた中身の厚さが異なる図書に装着する図書カバーに関する。
【背景技術】
【０００２】            図書を保護する図書カバーにおいては、ブックカバーの名称で知られており、この図書カバーは、同じ図書規格で本製表紙または仮製表紙を付けた中身の厚さが異なる図書に装着するため、カバーの表布と裏布の間に元の状態に復元する金属箔を配し、その復元作用によって折り跡を残さず、折り部の位置を自由に変更できるようにしてある（例えば、特許文献１参照）。【０００３】            また、従来の図書カバーは、同じ図書規格で、本製表紙または仮製表紙を付けた中身の厚さが異なる図書に装着するため、カバーの片側の背面側をポケット状にして、もう片側の背面側に帯を付けた折り返し部分を設け、さらに、その折り返し部分に数本の薄肉線の折り目を付けている（例えば、特許文献２参照）。【０００４】            また、従来の図書カバーは、表紙とカバーの間に生じるばたつきを無くすため、カバーの上下左右の折り返し部分またはカバーの左右の先端部分に感圧性接着剤を塗布または粘着シールを張って表紙と固定している（例えば、特許文献３〜５参照）。
【特許文献１】  特開２００３−３４１２５４号  公報
【特許文献２】  特開２００３−０７２２６１号  公報
【特許文献３】  特開２００３−１０３９６１号  公報
【特許文献４】  特開２００２−２６４５６２号  公報
【特許文献５】  特開  平０７−２２８０７３号  公報
【発明の開示】
【発明が解決しようとする課題】
【０００５】            以上に述べたように、従来の図書カバーでは、元の状態に復元する金属箔を配して、同じ図書規格で、本製表紙または仮製表紙を付けた中身の厚さが異なる図書に装着して折り跡が残らないようにしているものの、装着するたび、折り目を調節しなければならない問題点がある。【０００６】            また、従来の図書カバーでは、カバーの折り返し部分に数本の薄肉線の折り目を付けて、同じ図書規挌で、本製表紙または仮製表紙を付けた中身の厚さが異なる図書に装着しているものの、表紙と薄肉線の折り目とが一致しないという問題点が生じる。【０００７】            また、従来の図書カバーでは、表紙とカバーのばたつきを無くすため、カバーの上下左右の折り返し部分に感圧性の接着剤または粘着シールを張って表紙と固定しているものの、装着に手間が掛かる問題点と、着脱を繰り返すと粘着度が低下する問題点がある。
【問題を解決するための手段】
【０００８】            本発明では、同じ図書規格で、本製表紙または仮製表紙を付けた中身の厚さが異なる図書に、図書カバーを調節せずに装着する課題と、表紙とカバーの間に生じるばたつきを無くす課題を達成するため、カバーの左右の中心部に、見開く方向へ伸縮するゴムテープ付きの分離式ファスナーを上下方向に取付け、さらに、この分離式ファスナー部分を除く上下左右の縁に、先端部分を窄めたＪ字形フックまたはＵ字形フックを熱可塑性樹脂または合金などで成型して付着する構成とする。
【０００９】            また、本発明では、上記のように同じ図書規格で、本製表紙または仮製表紙を付けた中身の厚さが異なる図書に、図書カバーを調節せずに装着する課題と、表紙とカバーの間に生じるばたつきを無くす課題を達成するため、カバーの左右の中心部に、見開く方向へ伸縮するゴムテープを上下方向に取付け、さらに、上下の縁の一部と左右の縁に、Ｊ字形フックまたはＵ字形のフックを付着する構成とする。
【００１０】            また、本発明は、図書カバーの両面の一部を矩形状または円形状に開口して、その背面側に熱可塑性樹脂または合成樹脂素材の透明ポケットを設ける構成とする。
【発明の効果】
【００１１】            上述の形態で実施される本発明の図書カバーは、以下の効果を奏する。
【００１２】            カバーの左右の中心部に、見開く方向へ伸縮する分離式ファスナーを取付けて、上下左右の縁に、先端部分を窄めたＪ字形フックまたはＵ字形フックを設けたことで、同じ図書規格の通常の図書または特殊な図書（例えば電子図書）に、カバーを調節せずにファスナーを分離して装着またはファスナーを閉めた状態で装着できる効果と、表紙とカバーのばたつきを無くす効果がある。
【００１３】            また、カバーの左右の中心部に、見開く方向へ伸縮するゴムテープを取付けて、上下の縁の一部と左右の縁に、先端部分を窄めたＪ字形フックまたはＵ字形フックを設けたことで、同じ図書規格の通常の図書の全てに、図書カバーを調節することなく装着できる効果と、表紙とカバーのばたつきを無くす効果がある。
【００１４】            また、カバーの両面を矩形状または円形状に開口して透明のポケットを設けたことで、好きな写真や漫画など視覚的要素を有するものを表示することができて、所有者の個性を発揮する効果がある。
【発明を実施するための最良の形態】
【００１５】            以下、本発明に係る実施の形態を図１から図６に基づいて説明する。【００１６】            図１は、分離式ファスナーを取付けた図書カバーの正面図を示し、図２は、図１の背面図を示し、図３は、図２のＡ−Ｂ部分の断面図を示す。
伸縮が生じないように裏面を加工した布地またはレザー地またはビニールレザー地を素材にしたカバー１の左右の中心部に、見開く方向（図では左右方向）へ伸縮する分離式ファスナー２が取付けてあり、この分離式ファスナー部分を除く上下左右の縁には、表紙を挟むＪ字形フック３またはＵ字形フック１３（図ではＪ字形フック３）が設けてある。さらに、カバーの両面の一部を矩形状または円形状（図では矩形状）に開口して、その背面側に透明のポケット４が設けてある（分離式ファスナー、Ｊ字形フックおよびポケットの詳細な構成については以下で説明する）。【００１７】            前記の分離式ファスナー２ａは、テープ２ｅの幅方向へ伸縮するように織ったソフトタイプのカラー織ゴムに、透明またはカラーのエレメント２ａを射出成型してあり、図で示すようにカバー１には、エレメントの蝶棒２ｂを差し込む箱２ｃを上にして取付けて、スライダー２ｄを下げるとエレメントが閉まり、スライダーをを上げるとエレメントが開くように構成してある。
図では、ゴムテープにエレメントを射出成型した構成としてあるが、従来製品の分離式（開製品）ファスナーのテープにゴムテープを継ぐ方法もある。【００１８】            前記の先端部分を窄めたＪ字形フック３は、本製表紙の寸法に合せて機械的強度と弾力性に優れた熱可塑性樹脂で成型してあり、補強部材３ｃまでの寸法を本製表紙の溝の位置までとしてある。また、Ｊ字形の鈎部分の長さは、上紙を付けた仮製表紙に安定した状態で装着できる寸法としてあり、Ｊ字形の底部分の内径と先端部分の広狭度は、上紙を付けた本製表示が無理なく差し込める寸法として、窄めた先端部分の隙間は、上紙を付けた仮製表紙が挟める寸法とてしてある。さらに、Ｊ字形フックに表紙が容易に装着できるように、表紙の差し込み口３ｂを弧状に形成してある。また、Ｊ字形フックの正面側には接合部３ａが設けてあり、この接合部にカバーの上下左右の縁を嵌合して圧着または接着で付着してある。さらに、カバーと分離式ファスナーのテープの接続部分に、上下のＪ字形フックと一体化した補強部材３ｃを設けて一緒に縫いつけてある。
フックとカバーを圧着または接着で接合してあるが、カバーの縁にフックを射出成型合金をなどを使用することも可能である。【００１９】            また、カバーは、両面の一部を矩形状または円形状（図では矩形状）に切り取って、ほつれ防止を施した開口部が設けてあり、その開口部の背面側に、熱可塑性樹脂または合成樹脂などを素材にした透明のポケット４を設けて、挿入口４ａをカバー上方側に開けてある。
図では、挿入口をカバーの上方に開けてあるが、左右側に設けることも可能である。【００２０】            以上のように、図書カバーに、ゴムテープ付きの分離式ファスナー２と先端部分を窄めたＪ字形フック３（またはＵ字形フック１３）を設けたことにより、同じ図書規格で、本製表紙または仮製表紙を付けた中身の厚さが異なる通常の図書と表紙または表紙に相当する部分が１８０度に開かない特殊な図書（例えば電子図書）に、ファスナー部分で分離して装着することができる。【００２１】            また、以上のように、分離式ファスナーのエレメントの箱２ｃをカバーの上方向に取付けて、スライダー２ｄを下げるとエレメント２ａが閉まるようにしたことにより、スライダーの引手にストラップを付けることができる。【００２２】            また、以上のように、カバーの分離式ファスナー部分を除く上下左右の縁に、先端部分を窄めたＪ字形フック３（またはＵ字形フック１１）を設けたことにより、表紙とカバーが固定されて、ばたつきを無くすことができる。【００２３】            また、以上のように、カバーの両面に透明のポケット４を設けたことにより、好きな写真や漫画など視覚的要素のものを表示または図書の題名などをコピーして表示することができる。【００２４】            図４は、ゴムテープを取付けた図書カバーの正面図を示し、図５は、図４の背面図を示し、図６は、図５のＣ−Ｄ部分の断面図を示す。
カバー１１は、前記のカバー１と同様の素材で構成されており、そのカバーの左右の中心部に、見開く方向（図では左右方向）へ伸縮するゴムテープ１２を縦方向に縫いけてある。さらに、カバーの上下の縁の一部と左右の縁に、先端部分を窄めたＪ字形フック３またはＵ字形フック１３（図ではＵ字形フック）をコの字状に設けて、表紙が挟めるようにしてあり、さらに、Ｕ字形フックに表紙が容易に差し込めるように、差し込み口１３ｂを弧状に形成してある。また、差し込み口より先のフックを設けていない上下部分の縁には、Ｕ字形のカバー側とカバー接合部１３ａが延長しても設けてあり、この接合部に、ゴムテープ部分を除くカバーの上下左右の縁を嵌合して圧着または接着などで付着してある。また、カバーとゴムテープの接合部分には、上下のＵ字形のカバー側と一体化した補強部分１３ｃを設けて一緒に縫い付けてある。【００２５】            以上の構成にしたことにより、同じ図書規格で、本製表紙または仮製表紙を付けた中身の厚さが異なる通常図書のすべてに、図書カバーを調節することなく装着することができる。また、表紙とカバーのばたつきをゴムテープの伸縮で無くすことが可能である。
【図面の簡単な説明】
【００２６】
【図１】      分離式ファスナーを取付けた図書カバーの正面図
【図２】      図１の背面図
【図３】      図２のＡ−Ｂ部分の断面図
【図４】      ゴムテープを取付けた図書カバーの正面図
【図５】      図４の背面図
【図６】      図５のＣ−Ｄ部分の断面図
【符号の説明】
【００２７】              １        カバー
２        分離式ファスナー
２ａ      エレメント
２ｂ      蝶棒
２ｃ      箱
２ｄ      スライダー
２ｅ      ゴムテープ
３        Ｊ字形フック
３ａ      接合部
３ｂ      差し込み口
３ｃ      補強部材
４        ポケット
４ａ      挿入口
１１        カバー
１２        ゴムテープ
１３        Ｕ字形フック
１３ａ      接合部
１３ｂ      差し込み口
１３ｃ      補強部材
【手続補正３】
【補正対象書類名】図面
【補正対象項目名】全図
【補正方法】変更
【補正の内容】
【図１】
2005289029.tif 000011
【図２】
2005289029.tif 000012
【図３】
2005289029.tif 000013
【図４】
2005289029.tif 000014
【図５】
2005289029.tif 000015
【図６】
2005289029.tif 000016